(57)【要約】【課題】ドアホン装置の消費電力を抑制すること。【解決手段】親機と子機との間で無線通信を行うドアホン装置は、子機が、親機で設定された起動間隔でスリープ状態から起動して一時的に稼働状態となる動作を繰り返し、親機が、所定の条件に応じて、子機の起動間隔を、第１の起動間隔、又は、当該第１の起動間隔よりも長い第２の起動間隔の何れかに設定する。【選択図】図１
2019029843.tif 000002
【特許請求の範囲】
【請求項１】
親機と子機との間で無線通信を行うドアホン装置であって、
前記子機は、
前記親機で設定された起動間隔でスリープ状態から起動して一時的に稼働状態となる動作を繰り返し、
前記親機は、
所定の条件に応じて、前記子機の起動間隔を、第１の起動間隔、又は、当該第１の起動間隔よりも長い第２の起動間隔の何れかに設定する、
ドアホン装置。
【請求項２】
前記所定の条件とは、前記子機の電池残量であり、
前記親機は、
前記子機の電池残量が閾値未満である場合、前記子機の起動間隔を、前記第２の起動間隔に設定する、
請求項１に記載のドアホン装置。
【請求項３】
前記所定の条件とは、親機又は子機に対する低消費電力モードへの変更操作であり、
前記親機は、
前記低消費電力モードへの変更操作が行われた場合、当該低消費電力モードへの変更操作が行われてから一定期間の前記子機の起動間隔を、前記第２の起動間隔に設定する、
請求項１に記載のドアホン装置。
【請求項４】
前記所定の条件とは、開始時刻及び終了時刻の設定であり、
前記親機は、
前記開始時刻から終了時刻までの前記子機の起動周期を、前記第２の起動間隔に設定する、
請求項１に記載のドアホン装置。
【請求項５】
前記所定の条件とは、前記親機の未操作の期間であり、
前記親機は、
未操作の期間が閾値以上である場合、前記子機の起動間隔を、前記第２の起動間隔に設定する、
請求項１に記載のドアホン装置。
【発明の詳細な説明】
【技術分野】
【０００１】
本開示は、ドアホン装置に関する。
【背景技術】
【０００２】
防犯に対する意識は年々向上しており、近年、戸建住宅だけでなくワンルームマンション等の一人暮らし世帯においても、低コスト、簡単設置で玄関子機等を実現したいという要求が増えてきている。
【０００３】
このような低コストで簡単設置の要求に応えるものとして、両者の間を無線通信させることにより配線工事を不要とするものも普及し始めている。例えば、特許文献１には、玄関子機と、玄関子機との間で無線通信を行うための無線親機とで構成されるテレビドアホン装置が開示されている。
【先行技術文献】
【特許文献】
【０００４】
【特許文献１】特開２００８−２５２２７１号公報
【発明の概要】
【発明が解決しようとする課題】
【０００５】
玄関子機または無線親機を電池駆動とした場合には、電池の交換または電池の充電等の手間を省くため、消費電力を抑制することが望まれる。
【０００６】
本発明の目的は、消費電力を抑制するドアホン装置を提供することである。
【課題を解決するための手段】
【０００７】
本発明の一態様に係るドアホン装置は、親機と子機との間で無線通信を行うドアホン装置であって、前記子機は、前記親機で設定された起動間隔でスリープ状態から起動して一時的に稼働状態となる動作を繰り返し、前記親機は、所定の条件に応じて、前記子機の起動間隔を、第１の起動間隔、又は、当該第１の起動間隔よりも長い第２の起動間隔の何れかに設定する。
【発明の効果】
【０００８】
本発明によれば、ドアホン装置の消費電力を抑制することができる。
【図面の簡単な説明】
【０００９】
【図１】本発明の実施の形態に係るテレビドアホン装置を示す図。
【図２】玄関子機の構成例を示すブロック図。
【図３】室内子機の構成例を示すブロック図。
【図４】消費電力モードの移行を示す図。
【図５】通常消費電力モードから低消費電力モードへの移行処理を示す図。
【図６】低消費電力モードから超低消費電力モードへの移行処理を示す図。
【図７】超低消費電力モードから通常消費電力モードへの移行処理を示す図。
【図８】親機の消費電力モードの設定画面の第１の例を示す図。
【図９】親機の消費電力モードの設定画面の第２の例を示す図。
【図１０】親機の消費電力モードの設定画面の第３の例を示す図。
【図１１】親機の消費電力モードの設定画面の第４の例を示す図。
【図１２】本発明の実施の形態に係るハードウェア構成例を示す図。
【発明を実施するための形態】
【００１０】
以下、実施の形態について、図面を参照しながら詳細に説明する。
【００１１】
（実施の形態）
＜テレビドアホン装置の構成＞
まず、図１を参照しながら、本発明の実施の形態に係るテレビドアホン装置１の構成について説明する。
【００１２】
テレビドアホン装置１は、玄関子機（以下「子機」という）１０と室内親機（以下「親機」という）２０とを備え、子機１０と親機２０とを無線通信回線Ｎで接続する。なお、図１では、親機２０に１台の子機１０が接続されているが、親機２０には２台以上の子機１０が接続されてもよい。
【００１３】
子機１０は、例えば玄関に設置されており、呼出ボタン１０９、子機カメラ１１、子機マイク１３、及び子機スピーカ１２を備える。
【００１４】
親機２０は、例えば室内に設置されており、操作部２１１、ディスプレイ２１、親機マイク２３、及び親機スピーカ２２を備える。操作部２１１は、子機１０の呼出ボタン１０９の押下に応答するための応答ボタン、子機カメラ１１の撮像画像を取得するためのモニタボタン、子機１０を制御するための制御ボタン等を含む。ディスプレイ２１は、例えばＬＣＤ（Liquid Crystal Display）である。
【００１５】
次に、テレビドアホン装置１の動作概要を述べる。
【００１６】
来訪者が子機１０の呼出ボタン１０９を押下すると、親機２０は、子機カメラ１１の撮影画像をディスプレイ２１に表示し、子機マイク１３に入力された音声を親機スピーカ２２から出力する。これにより、居住者は、親機２０から来訪者の画像及び音声を確認することができる。また、このとき、居住者が親機２０の応答ボタンを押下すると、親機２０は、親機マイク２３に入力された音声を子機スピーカ１２から出力する。これにより、居住者は、親機２０を通じて来訪者と会話をすることができる。以下、これらの処理をまとめて「呼出応答処理」という。
【００１７】
また、居住者が親機２０のモニタボタンを押下すると、親機２０は、子機カメラ１１の撮影画像を取得し、ディスプレイ２１に表示する。これにより、居住者は、親機２０から、玄関付近の様子（例えば不審者又は不審物等）を確認することができる。以下、この処理を「玄関前確認処理」という。
【００１８】
また、居住者は、親機２０の制御ボタンを操作して、子機１０の消費電力モードに関する各種設定を行うことができる。消費電力モードの詳細及びその設定方法については後述するが、これにより子機１０の電池の消費を抑制することができる。
【００１９】
＜子機の構成＞
次に、図２を参照しながら、子機１０の構成について説明する。
【００２０】
子機１０は、子機カメラ１１、子機スピーカ１２、子機マイク１３、子機無線通信部１０１、音声処理部１０２、画像処理部１０３、子機電源部１０４、子機割込検知部１０５、電源監視部１０６、記憶部１０７、子機制御部１０８、呼出ボタン１０９、水晶振動子１３１、及び、水晶振動子１３２を備える。なお、子機無線通信部１０１、音声処理部１０２、画像処理部１０３、電源監視部１０６、記憶部１０７及び子機制御部１０８をまとめて、子機メイン部１００と呼ぶ。
【００２１】
子機無線通信部１０１は、無線通信回線Ｎを介して、親機２０とデータを送受信する。子機無線通信部１０１による通信方式は、例えば、ＤＥＣＴ（Digital Enhanced Cordless Telecommunications）、無線ＬＡＮ（Local Area Network）、又は、ＺｉｇＢｅｅ（登録商標）である。
【００２２】
音声処理部１０２は、子機制御部１０８からの指示に基づいて子機スピーカ１２及び子機マイク１３を制御する。例えば、音声処理部１０２は、子機マイク１３が集音した音声データを子機制御部１０８へ出力する。また、音声処理部１０２は、子機制御部１０８から入力された、親機マイク２３で集音された音声データを、子機スピーカ１２へ出力する。
【００２３】
画像処理部１０３は、子機制御部１０８からの指示に基づいて子機カメラ１１を制御する。例えば、画像処理部１０３は、子機カメラ１１の撮影画像のデータを、子機制御部１０８へ出力する。
【００２４】
子機電源部１０４は、子機１０が動作するための電力を各部へ供給する。子機電源部１０４は、電力の供給源である電池１２２と、子機メイン部１００への電力の供給をＯＮ／ＯＦＦするスイッチング素子１２１とを有する。電池１２２は、１次電池又は２次電池の何れでもよい。なお、本実施の形態では、設置性を考慮して子機１０に電池１２２を用いているが、子機１０にＡＣ電源又はＡＣアダプタ等を用いてもよい。
【００２５】
子機割込検知部１０５は、呼出ボタン１０９による割り込み、タイマ１３０による割り込み、及び、各種イベント発生による割り込みを検知する。割り込みの検知は、ハードウェアによるものとソフトウェアによるものを含む。
【００２６】
また、子機割込検知部１０５は、電池１２２の消費電力をできるだけ抑制するために、子機電源部１０４から子機メイン部１００への電力供給を制御する機能も備える。例えば、回路上で、子機割込検知部１０５を、子機電源部１０４と子機メイン部１００との間に配置する。そして、子機割込検知部１０５だけを電池１２２から供給される微弱な電流（例えば数マイクロアンペア）により常時稼働させておき、上述の割り込み検知に基づいて、子機メイン部１００へ電力を供給するためのスイッチング素子１２１をＯＮ／ＯＦＦする。
【００２７】
以下、当該スイッチング素子１２１がＯＮであることを「主電源がＯＮ」、当該スイッチング素子１２１がＯＦＦであることを「主電源がＯＦＦ」と呼ぶことがある。また、主電源がＯＮの状態、つまり子機メイン部１００に電力が供給されている状態を「稼働状態」、主電源がＯＦＦの状態、つまり子機メイン部１００に電力が供給されておらず、子機割込検知部１０５のみが微弱な電流で稼働している状態を「スリープ状態」と呼ぶ。
【００２８】
なお、スイッチング素子１２１がＯＦＦの間の子機割込検知部１０５のバイアス電流をできるだけ小さくするために、子機割込検知部１０５には、子機制御部１０８に採用する水晶振動子１３２よりも低い発振周波数（例えば３２ｋＨｚ）の水晶振動子１３１を採用する。
【００２９】
電源監視部１０６は、主電源がＯＮのとき、電池１２２の残量（以下「電池残量」という）を測定し、その測定結果を子機制御部１０８へ出力する。電池残量は、例えば、電池１２２の電圧値である。ただし、電池残量は、電圧値に代えて、規定のレベル値で表現されてもよい。例えば、電池１２２の電圧値が、第１の閾値以上の場合は「レベル３」、第１の閾値未満かつ第２の閾値以上の場合は「レベル２」、第２の閾値未満の場合は「レベル１」のように表現されてもよい。また、電源監視部１０６は、電池１２２の電圧値の測定において、ヒステリシスを入れてもよい。なお、スリープ状態における消費電流の増加が問題とならないシステムの場合は、スリープ状態でも電源監視が可能となるように、子機割込検知部１０５に電源監視の機能を設けても良い。
【００３０】
記憶部１０７は、フラッシュメモリ等で構成され、例えば、子機１０の識別番号等の装置情報、設定情報、親機２０の状態情報、親機２０への送信前の画像データ等を記憶する。
【００３１】
子機制御部１０８は、子機１０の各部を制御するための演算処理を行う。
【００３２】
具体的には、子機割込検知部１０５は、呼出ボタン１０９押下の割り込みを検知し、主電源をＯＮにし、子機制御部１０８に対して呼出ボタン１０９押下のイベント発生通知を送信する。子機制御部１０８は、主電源がＯＮのときに、この呼出ボタン１０９押下のイベント発生通知を受信すると、その旨を子機無線通信部１０１を通じて親機２０へ送信する。そして、子機制御部１０８は、画像処理部１０３から入力された子機カメラ１１の撮影画像データ、及び、音声処理部１０２から入力された子機マイク１３の音声データを、子機無線通信部１０１を通じて親機２０へ送信する。これにより、屋内の居住者は、親機２０から、玄関扉付近に存在する来訪者を確認できる。さらに、子機制御部１０８は、子機無線通信部１０１を通じて親機２０から受信した親機マイク２３の音声データを、音声処理部１０２を通じて子機スピーカ１２へ出力する。これにより、屋外の来訪者と屋内の居住者とが会話をすることができる。すなわち、子機制御部１０８は、親機２０と連携して、「呼出応答処理」を実現する。
【００３３】
また、子機制御部１０８は、主電源がＯＮのときに、子機無線通信部１０１を通じて親機２０から子機カメラ１１の撮影画像の要求情報を受信すると、画像処理部１０３から入力された子機カメラ１１の撮影画像データ、及び、音声処理部１０２から入力された子機マイク１３の音声データを、子機無線通信部１０１を通じて親機２０へ一定時間送信する。これにより、居住者は、親機２０から、玄関付近の様子を確認することができる。すなわち、子機制御部１０８は、親機２０と連携して、「玄関前確認処理」を実現する。
【００３４】
また、子機制御部１０８は、子機無線通信部１０１を通じて親機２０から電池残量の要求情報を受信した場合、電源監視部１０６が測定した電池残量を子機無線通信部１０１を通じて親機２０へ送信する。また、子機制御部１０８は、子機無線通信部１０１を通じて親機２０から消費電力モードの移行要求情報を受信した場合、子機割込検知部１０５を制御して、消費電力モードの移行処理を行う。なお、これらの処理の詳細については後述する。
【００３５】
＜親機の構成＞
次に、図３を参照しながら、親機２０の構成について説明する。
【００３６】
親機２０は、ディスプレイ２１、親機スピーカ２２、親機マイク２３、親機無線通信部２０１、ＲＳＳＩレベル検知部２０２、音声処理部２０３、表示処理部２０４、親機電源部２０５、親機割込検知部２０６、記憶部２０７、充電検知部２０８、時計機能管理部２０９、親機制御部２１０、操作部２１１、水晶振動子２３１、及び、水晶振動子２３２、を備える。なお、親機無線通信部２０１、ＲＳＳＩレベル検知部２０２、音声処理部２０３、表示処理部２０４、記憶部２０７、充電検知部２０８、時計機能管理部２０９、及び親機制御部２１０をまとめて、親機メイン部２００と呼ぶ。
【００３７】
親機無線通信部２０１は、無線通信回線Ｎを介して、子機１０とデータを送受信する。親機無線通信部２０１による通信方式は、子機１０と同様、例えば、ＤＥＣＴ、無線ＬＡＮ、又は、ＺｉｇＢｅｅ（登録商標）である。
【００３８】
ＲＳＳＩレベル検知部２０２は、親機無線通信部２０１が子機１０から受信した無線信号の強度、すなわち、ＲＳＳＩ（Received Signal Strength Indicator）レベルを検知する。
【００３９】
音声処理部２０３は、親機制御部２１０からの指示に基づいて親機マイク２３及び親機スピーカ２２を制御する。例えば、音声処理部２０３は、子機マイク１３が集音した音声データを、親機スピーカ２２へ出力する。また、音声処理部２０３は、親機マイク２３が集音した音声データを、親機制御部２１０へ出力する。
【００４０】
表示処理部２０４は、親機制御部２１０からの指示に基づいてディスプレイ２１を制御する。例えば、表示処理部２０４は、子機カメラ１１の撮影画像、及び、設定画面（図８から図１１参照）等をディスプレイ２１に出力する。
【００４１】
親機電源部２０５は、親機２０が動作するための電力を各部へ供給する。親機電源部２０５は、電力の供給源である電源２２２と、親機メイン部２００への電力の供給をＯＮ／ＯＦＦするスイッチング素子２２１とを有する。電源２２２は、ＡＣ電源又はＡＣアダプタであっても良いし、１次電池又は２次電池等の電池であってもよい。
【００４２】
親機割込検知部２０６は、操作部２１１による割り込み、タイマ２３０による割り込み、及び、各種イベント発生による割り込みを検知する。割り込みの検知は、ハードウェアによるものとソフトウェアによるものを含む。
【００４３】
また、親機割込検知部２０６は、親機電源部２０５から親機メイン部２００への電力供給を制御する機能も備える。例えば、回路上で、親機割込検知部２０６を、親機電源部２０５と親機メイン部２００との間に配置する。そして、親機割込検知部２０６だけを電源２２２から供給される微弱な電流（例えば数マイクロアンペア）により常時稼働させておき、所定の割り込み検知に基づいて、親機メイン部２００へ電力を供給するためのスイッチング素子２２１をＯＮ／ＯＦＦする。
【００４４】
以下、当該スイッチング素子２２１がＯＮであることを「主電源がＯＮ」、当該スイッチング素子２２１がＯＦＦであることを「主電源がＯＦＦ」と呼ぶことがある。また、主電源がＯＮの状態、つまり親機メイン部２００に電力が供給されている状態を「稼働状態」、主電源がＯＦＦの状態、つまり親機メイン部２００に電力が供給されておらず、親機割込検知部２０６のみが微弱な電流で稼働している状態を「スリープ状態」と呼ぶ。
【００４５】
親機２０は、例えば、電源２２２が、ＡＣ電源又はＡＣアダプタからの電源供給、あるいは充電台にセット可能な２次電池からの電源供給のように電池交換の必要がない場合、常時、稼動状態であっても良い。また、親機２０は、スリープ状態を使用する場合、子機１０との通信のタイミングに合わせて稼動状態の期間を設定し、稼動状態以外の残りの期間にスリープ状態を設定しても良い。
【００４６】
なお、スイッチング素子２２１がＯＦＦの間の親機割込検知部２０６のバイアス電流をできるだけ小さくするために、親機割込検知部２０６には、親機制御部２１０に採用する水晶振動子２３２よりも低い発振周波数（例えば３２ｋＨｚ）の水晶振動子２３１を採用してもよい。
【００４７】
記憶部２０７は、フラッシュメモリ等で構成され、各種画像、音声、その他の管理情報を含む。画像は、例えば、動画、静止画を含み、子機カメラ１１の撮像画像、親機２０を操作するための画像を含む。音声は、例えば、親機２０から発する定型メッセージの音声を含む。その他の管理情報は、例えば、親機２０の各種の設定情報を勝手に変更できないようにするためのパスワード情報を含む。
【００４８】
充電検知部２０８は、親機２０が充電台等に載置され、親機電源部２０５が外部電源に接続されたかどうかを検知する。なお、親機２０が充電機能を有さない場合、親機２０は、充電検知部２０８を備えなくてもよい。
【００４９】
時計機能管理部２０９は、設定された開始時刻及び終了時刻になったとき、その旨を親機制御部２１０へ通知する。なお、時計機能管理部２０９を用いる場合、親機２０は、主電源がＯＮの状態である必要がある。なお、親機２０がスリープ状態を使用し、親機２０におけるスリープ状態の消費電流の増加が問題とならないシステムの場合は、スリープ状態でも時計機能が動作可能となるように、親機割込検知部２０６に時計機能管理部を設けても良い。
【００５０】
親機制御部２１０は、親機２０の各部を制御するための演算処理を行う。
【００５１】
具体的には、親機制御部２１０は、主電源がＯＮのときに、親機無線通信部２０１を通じて子機１０から呼出ボタン１０９押下のイベント発生通知を受信すると、親機無線通信部２０１を通じて、子機カメラ１１の撮影画像データを受信し、表示処理部２０４を通じてディスプレイ２１に表示する。また、親機制御部２１０は、親機無線通信部２０１を通じて、子機マイク１３の音声データを受信し、音声処理部２０３を通じて親機スピーカ２２へ出力する。これにより、屋内の居住者は、親機２０から、玄関扉付近に存在する来訪者を確認できる。さらに、親機制御部２１０は、親機割込検知部２０６から応答ボタン押下の割込通知を受けた場合、音声処理部２０３を通じて取得した親機マイク２３の音声データを、親機無線通信部２０１を通じて子機１０へ送信する。これにより、屋外の来訪者と屋内の居住者とが会話をすることができる。すなわち、親機制御部２１０は、子機１０と連携して、「呼出応答処理」を実現する。
【００５２】
また、親機制御部２１０は、主電源がＯＮのときに、親機割込検知部２０６からモニタボタン押下の割込通知を受けた場合、親機無線通信部２０１を通じて、子機カメラ１１の撮影画像データを受信し、表示処理部２０４を通じてディスプレイ２１に一定時間表示する。また、親機制御部２１０は、主電源がＯＮのときに、親機無線通信部２０１を通じて、子機マイク１３の音声データを受信し、音声処理部２０３を通じて親機スピーカ２２へ一定時間出力する。これにより、居住者は、親機２０から、玄関付近の様子を確認することができる。すなわち、親機制御部２１０は、子機１０と連携して、「玄関前確認処理」を実現する。
【００５３】
また、親機制御部２１０は、親機無線通信部２０１を通じて電池残量の要求を子機１０へ送信する。そして、親機制御部２１０は、子機１０から受信した電池残量に基づいて消費電力モードを決定し、必要に応じて、消費電力モードの移行要求を子機１０へ送信する。また、親機制御部２１０は、居住者の操作及び設定に従って消費電力モードを決定し、必要に応じて、消費電力モードの移行要求を子機１０へ送信する。なお、これらの処理の詳細については後述する。
【００５４】
＜通信方式及び消費電力モード＞
次に、図４を参照しながら、テレビドアホン装置１における通信方式及び消費電力モードついて説明する。
【００５５】
第１の通信方式は、子機１０が、定期的に主電源のＯＮ／ＯＦＦを繰り返す通信方式である。すなわち、第１の通信方式では、子機１０は、定期的に稼働状態とスリープ状態とを繰り返す。以下、第１の通信方式において、主電源がＯＮになってから次に主電源がＯＮになるまでの間隔を「起動間隔」と呼ぶ。起動間隔は、子機割込検知部１０５のタイマ１３０によってカウントされる。
【００５６】
第１の通信方式では、起動間隔を長くするほど、子機１０の消費電力が減少する。しかし、起動間隔を長くし過ぎると、親機２０の水晶振動子２３１と子機１０の水晶振動子１３１とのズレが大きくなり過ぎ、親機２０と子機１０との間の無線通信の同期が外れてしまう。そこで、第１の通信方式に設定可能な最長の起動間隔は、親機２０と子機１０との間で無線通信の同期が外れない最長の間隔（例えば１０．２４秒）とする。
【００５７】
本実施の形態では、第１の通信方式であって、比較的短い起動間隔（例えば２．５６秒）が設定されている場合を「通常消費電力モード」、比較的長い起動間隔（例えば１０．２４秒）が設定されている場合を「低消費電力モード」という。ただし、この設定はあくまで一例であり、第１の通信方式において、最長の起動間隔を超えない範囲で、どのような起動間隔が設定されてよい。
【００５８】
第２の通信方式は、子機１０が、ある設定された期間、主電源をＯＦＦにし、その設定された期間が満了した後、主電源をＯＮにする通信方式である。すなわち、第２の通信方式では、子機１０は、ある設定された期間、スリープ状態となり、その設定された期間が満了した後、稼働状態になる。以下、第２の通信方式において、主電源がＯＦＦになってから次に主電源がＯＮになるまでの期間を「スリープ期間」という。スリープ期間は、子機割込検知部１０５のタイマ１３０によってカウントされる。
【００５９】
第２の通信方式では、スリープ期間の動作で、親機２０と子機１０との間の無線通信の同期を維持する必要がない非同期としているため、長い時間（例えば数時間）も設定可能である。このため、第２の通信方式は、起動後の無線通信の再同期にある程度長い時間（例えば１秒程度）を要するものの、第１の通信方式と比べて、子機１０の消費電力を大きく低減することができる。本実施の形態では、第２の通信方式を「超低消費電力モード」という。
【００６０】
第１の通信方式の場合、子機１０は定期的に稼働状態とスリープ状態とを繰り返しているので、子機１０は、親機２０から送信される要求情報を、次回の稼働状態のときに受信することができる。すなわち、第１の通信方式の場合、子機１０は起動間隔以内に親機２０からの要求情報（例えば子機カメラ１１の撮影画像の要求情報）に応答することができるので、親機２０から子機カメラ１１の撮影映像を確認することができる。
【００６１】
これに対して、第２の通信方式の場合、子機１０は、いったんスリープ状態になると、スリープ期間が満了するまで起動しない。すなわち、第２の通信方式の場合、子機１０は、スリープ期間が満了するまで親機２０からの要求情報（例えば子機カメラ１１の撮影映像の要求情報）に応答することができないので、親機２０から子機カメラ１１の撮影映像を確認することができない。
【００６２】
したがって、テレビドアホン装置１は、第１の通信方式の場合、すなわち、通常消費電力モード及び低消費電力モードの場合、親機２０のモニタボタンを有効にし、第２の通信方式の場合、すなわち、超低消費電力モードの場合、親機２０のモニタボタンを無効にしてもよい。
【００６３】
＜消費電力モードの移行条件＞
次に、同じく図４を参照しながら、消費電力モードの移行条件について説明する。ただし、テレビドアホン装置１は、以下に説明する移行条件を必ずしも全て備える必要は無く、一部の移行条件のみを備えてもよい。
【００６４】
まず、通常消費電力モードと低消費電力モードとの間の移行条件（Ｍ１）を以下に述べる。
【００６５】
（Ｍ１−１）通常消費電力モードのときに子機１０の電池残量が第１の閾値未満の場合、子機１０は低消費電力モードに移行する。このとき、親機２０は、子機１０の電池残量が第１の閾値未満である旨をディスプレイ２１に表示してよい。
【００６６】
（Ｍ１−２）通常消費電力モードのときに居住者が低消費電力モードへの移行操作を行った場合、子機１０は、低消費電力モードに移行し、一定期間が経過した後、自動的に通常消費電力モードに移行する。当該移行操作は、親機若しくは子機に設けられた専用ボタンの操作、親機若しくは子機の所定ボタンの長押し、又は、親機若しくは子機の複数ボタンの同時押しなどであってよい。居住者は、例えば外出の際に、当該移行操作を行うとよい。
【００６７】
（Ｍ１−３）低消費電力モードの開始時刻及び終了時刻が設定されており、開始時刻のとき通常消費電力モードである場合、子機１０は、開始時刻になったときに低消費電力モードに移行し、終了時刻になったときに通常消費電力モードに移行する。居住者は、例えば就寝と起床の時刻に合わせて、当該開始時刻と終了時刻を設定するとよい。
【００６８】
（Ｍ１−４）通常消費電力モードのときに親機２０が一定期間以上未操作であった場合、子機１０は、低消費電力モードに移行し、親機２０が操作されると、通常消費電力モードに移行する。
【００６９】
次に、通常消費電力モードと超低消費電力モードとの間の移行条件（Ｍ２）を以下に述べる。
【００７０】
（Ｍ２−１）通常消費電力モードのときに子機１０の電池残量が第２の閾値未満（ただし第２の閾値＜第１の閾値）の場合、子機１０は超低消費電力モードに移行する。このとき、親機２０は、子機１０の電池残量が少ない（第２の閾値未満である）ので超低消費電力モードへ移行してもよいかを問い合わせるメッセージをディスプレイ２１に表示し、居住者が許可した場合に超低消費電力モードへ移行してもよい。
【００７１】
（Ｍ２−２）通常消費電力モードのときに居住者が超低消費電力モードへの移行操作を行った場合、子機１０は、超低消費電力モードに移行し、一定期間が経過した後、自動的に通常消費電力モードに移行する。なお、親機２０は、当該移行操作が行われたときに当該一定期間のデフォルト値を表示し、居住者が必要に応じて当該一定期間を変更できるようにしてもよい。当該移行操作は、親機若しくは子機に設けられた専用ボタンの操作、親機若しくは子機の所定ボタンの長押し、又は、親機若しくは子機の複数ボタンの同時押しなどであってよい。居住者は、例えば外出の際に、当該移行操作を行うとよい。
【００７２】
（Ｍ２−３）超低消費電力モードの開始時刻及び終了時刻が設定されており、開始時刻のときに通常消費電力モードである場合、子機１０は、当該開始時刻になったときに超低消費電力モードに移行し、終了時刻になったときに通常消費電力モードに移行する。居住者は、例えば就寝と起床の時刻に合わせて、当該開始時刻と終了時刻を設定するとよい。
【００７３】
（Ｍ２−４）通常消費電力モードから超低消費電力モードに移行したスリープ期間中に子機１０の呼出ボタン１０９が押下された場合、子機１０は呼出応答処理を実行する。この場合、呼出応答処理が終了した後、又は、親機２０が未応答で所定時間が経過した後、子機１０は超低消費電力モードに移行してもよい。
【００７４】
次に、低消費電力モードと超低消費電力モードとの間の移行条件（Ｍ３）に述べる。
【００７５】
（Ｍ３−１）低消費電力モードのときに子機１０の電池残量が第２の閾値未満の場合、子機１０は超低消費電力モードに移行する。このとき、親機２０は、子機１０の電池残量が少ない（第２の閾値未満）ので超低消費電力モードへ移行してもよいかを問い合わせるメッセージをディスプレイ２１に表示し、居住者が許可した場合に超低消費電力モードへ移行してもよい。
【００７６】
（Ｍ３−２）低消費電力モードのときに居住者が超低消費電力モードへの移行操作を行った場合、子機１０は、超低消費電力モードに移行し、一定期間が経過した後、自動的に低消費電力モードに移行する。なお、親機２０は、当該移行操作が行われたときに当該一定期間のデフォルト値を表示し、居住者が必要に応じて当該一定期間を変更できるようにしてもよい。当該移行操作は、親機若しくは子機に設けられた専用ボタンの操作、親機若しくは子機の所定ボタンの長押し、又は、親機若しくは子機の複数ボタンの同時押しなどであってよい。居住者は、例えば外出の際に、当該移行操作を行うとよい。
【００７７】
（Ｍ３−３）超低消費電力モードの開始時刻及び終了時刻が設定されており、開始時刻のときに低消費電力モードである場合、子機１０は、当該開始時刻になったときに超低消費電力モードに移行し、終了時刻になったときに低消費電力モードに移行する。居住者は、例えば就寝と起床の時刻に合わせて、当該開始時刻と終了時刻を設定するとよい。
【００７８】
（Ｍ３−４）低消費電力モードから超低消費電力モードに移行したスリープ期間中に子機１０の呼出ボタン１０９が押下された場合、子機１０は呼出応答処理を実行する。この場合、呼出応答処理を終了した後、又は、親機２０が未応答で所定時間が経過した後、子機１０は超低消費電力モードに移行してもよい。
【００７９】
＜消費電力モードの移行処理＞
図５から図７は、親機２０及び子機１０の消費電流の時間変化を示す図である。親機２０は定期的（例えば１０ｍｓ毎）にビーコン信号を送信し、その際、消費電流が上昇する。すなわち、図５から図７の親機２０のグラフにおいて、消費電流が定期的に上昇しているタイミングは、親機２０がビーコン信号を送信しているタイミングに相当する。また、図５から図７の子機１０のグラフにおいて、消費電流が上昇している期間は子機１０が稼働状態であることを示し、それ以外の消費電流が極小の期間は子機１０がスリープ状態であることを示す。
【００８０】
次に、図５を参照しながら、通常消費電力モードから低消費電力モードへの移行処理について説明する。当該移行処理は、第１の通信方式における起動間隔を変更する処理に相当する。以下では、まず（Ｍ１−１）の処理について説明し、次に（Ｍ１−２）及び（Ｍ１−３）の処理について説明する。
【００８１】
子機１０は、通常消費電力モードの起動間隔Ｔｓ１が経過したタイミング（Ｐ１１）で起動し、稼働状態となる。そして、子機１０は、親機２０から、ビーコン信号で電池残量の要求情報を受信すると（Ｓ１１）、電源監視部１０６から取得した電池残量を含む応答情報を親機２０へ送信する（Ｓ１２）。
【００８２】
親機２０は、子機１０から受信した電池残量が第１の閾値未満であるか否かを判定する。そして、親機２０は、当該電池残量が第１の閾値未満である場合、次のビーコン信号で低消費電力モードへの移行要求情報を送信する（Ｓ１３）。なお、当該移行要求情報は、低消費電力モードの起動間隔Ｔｓ２を含んでもよい。
【００８３】
子機１０は、Ｓ１３の低消費電力モードへの移行要求情報を受信すると、完了応答情報を親機２０へ送信し（Ｓ１４）、低消費電力モードへ移行する。すなわち、子機１０は、子機割込検知部１０５のタイマ１３０に起動間隔Ｔｓ２をセットし、主電源をＯＦＦする。以降、子機１０は、起動間隔Ｔｓ２で主電源のＯＮ／ＯＦＦを繰り返す。
【００８４】
なお、上記（Ｍ１−２）の場合、すなわち、低消費電力モードへの移行操作が行われた場合、親機２０は、次に子機１０が稼働状態になるタイミングのビーコン信号で、低消費電力モードへの移行要求情報を送信する（Ｓ１３）。そして、親機２０は、一定時間が経過した後、次に子機１０が稼働状態になるタイミングのビーコン信号で、通常消費電力モードへの移行要求情報を送信する。
【００８５】
また、上記（Ｍ１−３）の場合、すなわち、低消費電力モードの開始時刻及び終了時刻が設定されている場合、親機２０は、開始時刻後、次に子機１０が稼働状態になるタイミングのビーコン信号で、低消費電力モードへの移行要求情報を送信する（Ｓ１３）。そして、親機２０は、終了時刻後、次に子機１０が稼働状態になるタイミングのビーコン信号で、通常消費電力モードへの移行要求情報を送信する。
【００８６】
また、上記（Ｍ１−４）の場合、すなわち、親機２０が所定期間未操作である場合、親機２０は、一定期間が経過した後、次に子機１０が稼働状態になるタイミングのビーコン信号で、低消費電力モードへの移行要求情報を含めて送信する（Ｓ１３）。そして、親機２０は、当該親機２０が操作された後、次に子機１０が稼働状態になるタイミングのビーコン信号で、通常消費電力モードへの移行要求情報を送信する。
【００８７】
このようにして、テレビドアホン装置１は、上記（Ｍ１−１）から（Ｍ１−４）の消費電力モードの移行条件に基づいて、通常消費電力モードと低消費電力モードとを切り換える。
【００８８】
次に、図６を参照しながら、低消費電力モードから超低消費電力モードへの移行処理について説明する。以下では、まず（Ｍ３−１）の処理について説明し、次に（Ｍ３−２）及び（Ｍ３−３）の処理について説明する。なお、（Ｍ２−１）から（Ｍ２−３）の処理については、起動間隔が異なるだけで（Ｍ３−１）から（Ｍ３−３）と同じ処理となるので、説明を省略する。
【００８９】
子機１０は、低消費電力モードの起動間隔Ｔｓ２が経過したタイミング（Ｐ２１）で起動し、稼働状態となる。そして、子機１０は、ビーコン信号で、親機２０から電池残量の要求情報を受信すると（Ｓ２１）、電池残量を含む応答情報を親機２０へ送信する（Ｓ２２）。
【００９０】
親機２０は、子機１０から受信した電池残量が第２の閾値未満であるか否かを判定する。そして、親機２０は、当該電池残量が第２の閾値未満である場合、次のビーコン信号で、超低消費電力モードへの移行要求情報を送信する（Ｓ２３）。当該移行要求情報は、超低消費電力モードのスリープ期間Ｔｓ３を含んでもよい。
【００９１】
子機１０は、Ｓ２３の超低消費電力モードへの移行要求情報を受信すると、完了応答情報を親機２０へ送信し（Ｓ２４）、超低消費電力モードへ移行する。すなわち、子機１０は、子機割込検知部１０５のタイマ１３０にスリープ期間Ｔｓ３をセットし、主電源をＯＦＦする。以後、子機１０はスリープ期間Ｔｓ３が満了するまでスリープ状態となり、スリープ期間Ｔｓ３の満了後（Ｐ２２）、起動する。
【００９２】
なお、上記（Ｍ３−２）の場合、すなわち、低消費電力モードのときに超低消費電力モードへの移行操作が行われた場合、親機２０は、次に子機１０が稼働状態になるタイミングのビーコン信号で、超低消費電力モードへの移行要求情報を送信する（Ｓ２３）。そして、親機２０は、スリープ期間Ｔｓ３の満了後のビーコン信号で、通常消費電力モードへの移行要求情報を送信する。
【００９３】
また、上記（Ｍ３−３）の場合、すなわち、低消費電力モードのときに超低消費電力モードの開始時刻及び終了時刻が設定されている場合、親機２０は、開始時刻後、次に子機１０が稼働状態になるタイミングのビーコン信号で、超低消費電力モードへの移行要求情報を送信する（Ｓ２３）。そして、親機２０は、終了時刻後のビーコン信号で、低消費電力モードへの移行要求情報を送信する。
【００９４】
次に、図７を参照しながら、超低消費電力モードから通常消費電力モードへの移行処理について説明する。以下では、まず（Ｍ２−２）及び（Ｍ２−３）の処理について説明し、次に（Ｍ２−４）の処理について説明する。なお、（Ｍ３−２）及び（Ｍ３−４）の処理については、起動間隔が異なるだけで（Ｍ２−２）から（Ｍ２−４）と同じ処理となるので、ここでの説明を省略する。
【００９５】
子機１０の子機割込検知部１０５は、スリープ期間Ｔｓ３の満了を検知すると、主電源をＯＮにする（Ｐ３１）。そして、子機１０は、リセット処理を行い、ビーコン信号をサーチして親機２０を検出し、当該親機２０との無線通信の同期を確立する（Ｓ３１）。
【００９６】
次に、子機１０は、スリープ期間満了のイベント発生通知を親機２０へ送信する（Ｓ３２）。
【００９７】
親機２０は、Ｓ３２のスリープ期間満了のイベント発生通知を受信すると、次のビーコン信号で、通常消費電力モードへの移行要求情報を子機１０へ送信する（Ｓ３３）。
【００９８】
子機１０は、Ｓ３３の通常消費電力モードへの移行要求情報を受信すると、完了応答情報を親機２０へ送信し（Ｓ３４）、通常消費電力モードへ移行する。以降、子機１０は、起動間隔Ｔｓ１で主電源のＯＮ／ＯＦＦを繰り返す。
【００９９】
なお、上記（Ｍ２−４）の場合、すなわち、スリープ期間中に子機１０の呼出ボタン１０９が押下された場合、子機１０は、主電源をＯＮにし、起動する（Ｐ３１）。そして、子機１０は、親機２０との無線通信の同期を確立し（Ｓ３１）、呼出ボタン１０９押下のイベント発生通知を親機２０へ送信する（Ｓ３２）。親機２０は、当該呼出ボタン１０９押下のイベント発生通知を受信すると、子機１０との間で呼出応答処理を実行する。
【０１００】
なお、図６及び図７に示すように、超低消費電力モードから起動したときの子機１０の稼働状態の期間（例えば１秒以上）は、通常消費電力モード又は低消費電力モードのときの稼働状態の期間（例えば５０ｍｓ）よりも、長くなっている。これは、上記の通り、超低消費電力モードの場合、起動時の無線通信の同期にある程度の時間（例えば約１秒）を要するためである。稼働状態の期間が長くなるほど消費電力は増加するので、超低消費電力モードのスリープ期間は、低消費電力モードの起動間隔よりも十分に長いことが好ましい。
【０１０１】
また、子機１０は、親機２０に生存を通知するために、定期的（例えば２時間毎）に稼働状態となって親機２０と無線通信（以下「死活確認通信」という）を行ってもよい。この場合、子機１０は、当該死活確認通信のタイミングで、当該子機１０に係るイベント発生通知を合わせて親機２０へ送信してもよい。また、子機１０は、当該死活確認通信のタイミングで、電池残量及び／又はＲＳＳＩなどの情報を合わせて親機２０へ送信してもよい。
【０１０２】
＜親機の設定画面＞
図８から図１１は、親機２０における設定画面の例を示す図である。以下の説明において、図８の画面２０６Ａ、図９の画面２０６Ｄ、図１０の画面２０６Ｇ、図１１の画面２０６Ｊに示す親機２０の設定画面は、例えば居住者が、親機２０の操作部２１１のメニューボタンを押下して、親機２０のディスプレイ２１に表示させたものである。
【０１０３】
次に、図８を参照しながら、親機２０から低消費電力モード及び超低消費電力モードを設定する方法の一例について説明する。
【０１０４】
居住者が、親機２０の画面２０６Ａに表示されたリストから「各種設定」を選択し、次に、画面２０６Ｂに表示されたリストから、「消費電力モード手動設定」を選択すると、親機２０は、次に、画面２０６Ｃに示すように、通常消費電力モード、低消費電力モード、及び、超低消費電力モードの選択リストを表示する。
【０１０５】
居住者が、画面２０６Ｃのリストから、「通常消費電力モード」を選択すると、子機１０は通常消費電力モードで動作し、「低消費電力モード」を選択すると、子機１０は低消費電力モードで動作する。
【０１０６】
また、居住者が、画面２０６Ｃのリストから、「超低消費電力モード」を選択すると、子機１０は、一定期間、超低消費電力モードで動作する。この一定期間には、予めデフォルト値（例えば８時間）が設定されており、居住者が任意に変更可能であってよい。
【０１０７】
次に、図９を参照しながら、親機２０から低消費電力モード及び超低消費電力モードを設定する方法の別の例について説明する。
【０１０８】
居住者が、親機２０の画面２０６Ｄに表示されたリストから「各種設定」を選択し、次に、画面２０６Ｅに表示されたリストから「エコ機能」及び「ＯＮ」を選択すると、親機２０は、次に、画面２０６Ｆに示すように、低消費電力モード及び超低消費電力モードの選択リストを表示する。
【０１０９】
次に、図１０を参照しながら、親機２０から低消費電力モード（又は超低消費電力モード）の開始時刻及び終了時刻を設定する方法の一例について説明する。
【０１１０】
居住者が、親機２０の画面２０６Ｇに表示されたリストから「各種設定」を選択し、次に、画面２０６Ｈに表示されたリストから「エコ機能」及び「ＯＮ」を選択すると、親機２０は、次に、画面２０６Ｉに示すように、低消費電力モード（又は超低消費電力モード）の開始時刻と終了時刻の設定値を表示する。
【０１１１】
居住者が、画面２０６Ｉから開始時刻と終了時刻を設定すると、子機１０はこの設定された開始時刻から終了時刻までの間、低消費電力モード（又は超低消費電力モード）で動作する。
【０１１２】
なお、上述における、子機１０が死活確認通知のタイミングでイベント発生通知を送信する構成の場合、画面２０６Ｉで設定可能な開始時刻及び終了時刻を、死活確認通知のタイミングにのみ限定してもよい。例えば、死活確認通知の周期が「２時間毎」の場合、設定可能な開始時刻及び終了時刻を、０時、２時、４時、…のように、２時間毎に限定する。
【０１１３】
次に、図１１を参照しながら、親機２０から低消費電力モード及び超低消費電力モードを設定する方法の別の例について説明する。
【０１１４】
居住者が、親機２０の画面２０６Ｊに表示されたリストから「各種設定」を選択し、次に、画面２０６Ｋに表示されたリストから、「エコ機能自動設定」を選択すると、親機２０は、次に、画面２０６Ｌに示すように、エコ機能１、２及び３のＯＮ／ＯＦＦのリストを表示する。ここで、例えば、エコ機能１は、電池容量の低下に係る移行条件（上記（Ｍ１−１）、（Ｍ２−１）及び（Ｍ３−１）に相当）に対応し、エコ機能２は、居住者の操作に係る移行条件（上記（Ｍ１−２）、（Ｍ２−２）及び（Ｍ３−２）に相当）に対応し、エコ機能３は、時刻に係る移行条件（上記（Ｍ１−３）、（Ｍ２−３）及び（Ｍ３−３）に相当）に対応する。
【０１１５】
居住者が、画面２０６Ｌのリストから、少なくとも１つのエコ機能をＯＮに設定すると、親機２０は、次に、画面２０６Ｍに示すように、低消費電力モード、及び超低消費電力モードの選択リストを表示する。そして、居住者は、画面２０６Ｍの選択リストから、何れかの消費電力モードを選択する。なお、エコ機能３がＯＮに設定された場合、親機２０は、図１０の画面２０６Ｉを表示してもよい。
【０１１６】
これにより、画面２０６Ｌで選択されたエコ機能に係る移行条件が適合すると、子機１０は画面２０６Ｍで選択された消費電力モードに移行する。
【０１１７】
＜実施の形態の効果＞
本実施の形態では、テレビドアホン装置１の子機１０は、第１の通信方式及び第２の通信方式を備える。第１の通信方式では、子機１０は、一定の起動間隔で主電源のＯＮ／ＯＦＦを繰り返す。ここで、当該起動間隔を長くすると、子機１０の消費電力を抑制することができる。例えば、子機１０の電池残量に応じて起動間隔を長くすると、電池１２２の交換時期を長くすることができる。
【０１１８】
第２の通信方式では、子機１０は、設定されたスリープ期間、主電源をＯＦＦにし、当該スリープ期間の満了後又は呼出ボタン１０９が押下されたとき、主電源をＯＮにする。例えば、外出中及び就寝中など、親機２０から子機カメラ１１の撮影画像を確認しない期間が長く続く場合、子機１０を第２の通信方式で動作させることにより、上記の第１の通信方式よりも子機１０の消費電力を抑制することができる。また、スリープ期間を設定することにより、例えば居住者が子機１０の呼出ボタン１０９を押下しなくても、子機１０を自動的に第１の通信方式に移行させることができる。
【０１１９】
＜ハードウェア構成＞
以上、本発明に係る実施形態について図面を参照して詳述してきたが、上述した機器１０及び機器２０の機能は、コンピュータプログラムにより実現され得る。
【０１２０】
図１２は、各装置の機能をプログラムにより実現するコンピュータのハードウェア構成を示す図である。このコンピュータ２１００は、ボタン又はタッチパネルなどの入力装置２１０１、ディスプレイ又はスピーカなどの出力装置２１０２、ＣＰＵ（Central Processing Unit）２１０３、ＲＯＭ（Read Only Memory）２１０４、ＲＡＭ（Random Access Memory）２１０５、フラッシュメモリなどの記憶装置２１０６、ＵＳＢ（Universal Serial Bus）メモリなどの記録媒体から情報を読み取る読取装置２１０７、ネットワークを介して通信を行う送受信装置２１０８を備え、各部はバス２１０９により接続される。
【０１２１】
そして、読取装置２１０７は、上記各装置の機能を実現するためのプログラムを記録した記録媒体からそのプログラムを読み取り、記憶装置２１０６に記憶させる。あるいは、送受信装置２１０８が、ネットワークに接続されたサーバ装置と通信を行い、サーバ装置からダウンロードした上記各装置の機能を実現するためのプログラムを記憶装置２１０６に記憶させる。
【０１２２】
そして、ＣＰＵ２１０３が、記憶装置２１０６に記憶されたプログラムをＲＡＭ２１０５にコピーし、そのプログラムに含まれる命令をＲＡＭ２１０５から順次読み出して実行することにより、上記各装置の機能が実現される。
【０１２３】
上述した実施形態は、本発明の説明のための例示であり、本発明の範囲を実施形態にのみ限定する趣旨ではない。当業者は、本発明の要旨を逸脱することなしに、他の様々な態様で本発明を実施することができる。
【産業上の利用可能性】
【０１２４】
本発明は、テレビドアホン装置の消費電力の抑制に有用である。
【符号の説明】
【０１２５】
１  テレビドアホン装置
１０  玄関子機
１１  子機カメラ
１２  子機スピーカ
１３  子機マイク
２０  室内親機
２１  ディスプレイ
２２  親機スピーカ
２３  親機マイク
１００  子機メイン部
１０４  子機電源部
１０５  子機割込検知部
１０８  子機制御部
１０９  呼出ボタン
１３０  タイマ
２００  親機メイン部
２０５  親機電源部
２０６  親機割込検知部
２１０  親機制御部
２１１  操作部
２３０  タイマ
【図１】
2019029843.tif 000003
【図２】
2019029843.tif 000004
【図３】
2019029843.tif 000005
【図４】
2019029843.tif 000006
【図５】
2019029843.tif 000007
【図６】
2019029843.tif 000008
【図７】
2019029843.tif 000009
【図８】
2019029843.tif 000010
【図９】
2019029843.tif 000011
【図１０】
2019029843.tif 000012
【図１１】
2019029843.tif 000013
【図１２】
2019029843.tif 000014